(57)【要約】【課題】小型化に適した電子部品取付用ソケットの提供。【解決手段】底版の周辺より立ち上げた周壁に囲まれた電子部品収容部２３を有し、電子部品収容部２３内に電子部品２２が挿入されるソケットハウジング２４を備え、弾性接触片を各々有する複数のコンタクト２５からなる複数のコンタクト群５５，５５…を備え、コンタクト群５５，５５を、電子部品収容部の底版２６の各周辺よりそれぞれ各辺と略直交する方向に向けて備え、且つ互いに隣り合う各辺におけるコンタクト群５５，５５において、一方のコンタクト群５５の弾性接触片５２側部に他方のコンタクト群５５の弾性接触片５２の一部又は全部の先端部が向く配置にした。【選択図】図２
2007066921.tif 000002
【特許請求の範囲】
【請求項１】
方形状の底版の四辺より立ち上げた周壁に囲まれた電子部品収容部を有し、該電子部品収容部内に電子部品が挿入されるソケットハウジングを備え、
該ハウジングの前記底版から電子部品収容部に突出した弾性接触片を各々有する複数のコンタクトからなり、該複数のコンタクトの各弾性接触片が、互いに平行に、且つ前記底版の四辺の何れかの一辺側からこれと略直交する方向に向けられて配置された、コンタクト群を備え、
前記電子部品収容部内に電子部品を保持させることによって、前記電子部品の端子部が前記コンタクトの弾性接触片に電気接続されるようにしてなる電子部品取付用ソケットにおいて、
前記コンタクト群の各コンタクトの弾性接触片を、前記電子部品収容部の底版の四辺の各辺側からそれぞれ対向する辺側に向け、前記四辺の互いに隣り合う辺におけるコンタクト群のうち、一方のコンタクト群の弾性接触片側部に、他方のコンタクト群の弾性接触片の一部又は全部の先端部が向く配置にするとともに、前記一方のコンタクト群を前記他方のコンタクト群の弾性接触片の少なくとも略長手方向長さ分だけ、前記他方のコンタクト群とは反対側の方向に偏らせて配置し、前記他方のコンタクト群の先端部を、その偏らせてできたスペースを詰めて、前記一方のコンタクト群の側部に近接させ、
前記各コンタクトは、前記各周壁に縦向きに備えられたコンタクト挿入溝に取り付けられ、
前記各周壁ごとに、複数の前記コンタクト挿入溝からなるコンタクト挿入溝群を備えるとともに、該コンタクト挿入溝群を前記コンタクト群の位置に合わせて前記各周壁の一端側に偏らせて配置し、前記各周壁の他端側の部分に、前記電子部品収容部に挿入される電子部品を固定するための電子部品固定金具を取り付けたことを特徴としてなる電子部品取付用ソケット。
【発明の詳細な説明】
【技術分野】
【０００１】
本発明は、主にカメラモジュールやＩＣユニット等の電子部品をプリント配線基板に取り付けるための電子部品取付用ソケットに関する。
【背景技術】
【０００２】
従来、携帯電話機等の電子機器は、その内部にプリント配線基板を備え、そのプリント配線基板に、カメラモジュールや、その他の半導体素子等の電子部品を取り付けるようになっており、熱に弱い電子部品は、直接半田付けによって取り付けることができないので、図８に示す如き電子部品取付用ソケットを用いてプリント配線基板に接続するようにしている。
【０００３】
この電子部品取付用ソケット１は、方形状の底版の四辺より立ち上げた周壁に囲まれた電子部品収容部２を有するソケットハウジング３と、底版より突出し、カメラモジュールや半導体素子等の電子部品４の端子部と弾性的に接触する弾性接触片５ａを有する複数のコンタクト５，５…とを備え、カメラモジュールや半導体素子等の電子部品４を電子部品収容部内２に保持させることによって、電子部品４の端子部がコンタクト５の弾性接触片５ａと接触し、コンタクト５，５…を介してプリント配線基板に電気的に接続されるようになっており、コンタクト５，５…は、底版の前側辺又は背側辺と直交する方向に平行に並べて配置されている。
【０００４】
また、電子部品取付用ソケット６には、図９に示すように、底版を正方形状とした枡形のソケットハウジング７に、コンタクト８，８…の弾性接触片の向きを底版の四辺或いは周壁の内面より中央側に向け、弾性接触片が電子部品収容部９内に突出するようにコンタクト８，８…を備えたものも知られている。
【０００５】
この電子部品取付用ソケット６のコンタクト８，８…は、各弾性接触片が底版周辺の各辺側からそれぞれ、各辺と直交する方向に向けられて互いに平行に配置されてコンタクト群８Ａ，８Ａ…を形成している。
【発明の開示】
【発明が解決しようとする課題】
【０００６】
しかし、上述の図８に示す電子部品取付用ソケットでは、コンタクトが底版の前側辺又は背側辺より中央側に向けて平行に並べて配置されており、コンタクトの数量が増加すると、コンタクトの数量に合わせてソケットハウジングの幅が長くなり、小型化に適しないという問題があった。
【０００７】
また、上述の図９に示す電子部品取付用ソケットでは、互いに隣り合う辺における各コンタクト群間の干渉を防止するため、各コンタクトの弾性接触片の長さを短くしなければならなかったり、各コンタクト群間の距離を充分に取ることによって中央部分や四隅部に無駄なスペースが生じたりするという問題があり、小型化が困難であった。
【０００８】
そこで本発明は、上述の従来技術の問題を鑑み、小型化に適した電子部品取付用ソケットの提供を目的とする。
【課題を解決するための手段】
【０００９】
上述の如き従来の問題を解決し、所期の目的を達成するための請求項１に記載の発明は、方形状の底版の四辺より立ち上げた周壁に囲まれた電子部品収容部を有し、該電子部品収容部内に電子部品が挿入されるソケットハウジングを備え、該ハウジングの前記底版から電子部品収容部に突出した弾性接触片を各々有する複数のコンタクトからなり、該複数のコンタクトの各弾性接触片が、互いに平行に、且つ前記底版の四辺の何れかの一辺側からこれと略直交する方向に向けられて配置された、コンタクト群を備え、前記電子部品収容部内に電子部品を保持させることによって、前記電子部品の端子部が前記コンタクトの弾性接触片に電気接続されるようにしてなる電子部品取付用ソケットにおいて、前記コンタクト群の各コンタクトの弾性接触片を、前記電子部品収容部の底版の四辺の各辺側からそれぞれ対向する辺側に向け、前記四辺の互いに隣り合う辺におけるコンタクト群のうち、一方のコンタクト群の弾性接触片側部に、他方のコンタクト群の弾性接触片の一部又は全部の先端部が向く配置にするとともに、前記一方のコンタクト群を前記他方のコンタクト群の弾性接触片の少なくとも略長手方向長さ分だけ、前記他方のコンタクト群とは反対側の方向に偏らせて配置し、前記他方のコンタクト群の先端部を、その偏らせてできたスペースを詰めて、前記一方のコンタクト群の側部に近接させ、前記各コンタクトは、前記各周壁に縦向きに備えられたコンタクト挿入溝に取り付けられ、前記各周壁ごとに、複数の前記コンタクト挿入溝からなるコンタクト挿入溝群を備えるとともに、該コンタクト挿入溝群を前記コンタクト群の位置に合わせて前記各周壁の一端側に偏らせて配置し、前記各周壁の他端側の部分に、前記電子部品収容部に挿入される電子部品を固定するための電子部品固定金具を取り付けたことを特徴とする。
【発明の効果】
【００１０】
本発明に係る電子部品取付用ソケットは、コンタクト群を各辺に沿って偏らせて配置したことによって、無駄なスペースを省き、ソケット全体を小型化することができる。
【００１１】
また、コンタクト群を偏らせて配置し、かつ前記底版の四辺から立ち上げた各周壁の、前記各辺のコンタクト挿入群とは反対側の端部側に、前記電子部品収容部に挿入される電子部品を固定するための電子部品固定金具を取り付けたことによって、電子部品固定金具の設置する部分を充分に取ることができ、電子部品を安定した状態で保持することができる。
【発明を実施するための最良の形態】
【００１２】
次に、本発明に係る電子部品取付用ソケットの実施の形態を図１〜図７について説明する。
【００１３】
図１は、電子部品取付用ソケットをプリント配線基板に取り付けた状態を示し、図中符号２０は電子部品取付用ソケット、符号２１はプリント配線基板、符号２２はカメラモジュール等の電子部品である。
【００１４】
電子部品取付用ソケット２０は、電子部品２２が収容される電子部品収容部２３を有するソケットハウジング２４と、ソケットハウジング２４内に保持され、プリント配線基板２１の端子パターン２１ａ，２１ａ…に接続される複数のコンタクト２５，２５…とを備え、電子部品収容部２３に電子部品２２が収容されることにより、コンタクト２５，２５…を介して電子部品２２がプリント配線基板２１に電気的に接続された状態で取り付けられるようになっている。
【００１５】
ソケットハウジング２４は、図３に示すように、正方形状の底版２６と、底版の四辺より立ち上げた前背左右の周壁２７，２８，２９，３０とが合成樹脂材等の絶縁材をもって一体に形成され、底版２６及び前背左右の周壁２７，２８，２９，３０に囲まれて電子部品２２が収容される電子部品収容部２３が形成されている。
【００１６】
底版２６には、上下に貫通した複数の貫通孔３１，３１…が底版２６の四辺よりそれぞれ対向する他方の辺側に向けた方向に長く、対向する両周壁間距離の半分よりやや短いスリット状に形成されている。
【００１７】
この貫通孔３１，３１…は、底版２６の四辺の各辺よりそれぞれ対向する辺側に向けて平行に並べて配置され、これにより貫通孔群を形成し、底版の四辺の互いに隣り合う各辺における貫通孔群において、一方の貫通孔群の側部に他方の貫通孔群の先端部が向く配置とされている。
【００１８】
各辺における貫通孔群は、その辺に沿って、少なくとも隣り合う貫通孔３１の長手方向長さ分だけ、その隣り合う貫通孔群とは反対側の方向に偏らせて配置するようになっている。
【００１９】
尚、底版２６の中央部には、各貫通孔群の先端部に囲まれた平坦な搬送用吸引部３２が形成され、その搬送用吸引部３２をノズルで吸引することにより自動機等において搬送することができるようになっている。
【００２０】
各周壁２７，２８，２９，３０は、それぞれ底版２６の四辺部より立ち上げた平板状に形成され、その外面に導電材からなるシールド板３３，３３…が嵌り込み、外面が覆われている。
【００２１】
各周壁２７，２８，２９，３０には、内側及び下方に開口し、貫通孔３１と連通した縦向きのコンタクト挿入溝３４，３４…が形成されている。即ち、複数のコンタクト挿入溝３４，３４…が周壁２７，２８，２９，３０に対して縦向きに、かつ互いに平行に並べられている。そして、各周壁ごとに、複数のコンタクト挿入溝からなるコンタクト挿入溝群が形成されている。そのコンタクト挿入溝群が貫通孔３１の位置に合わせて周壁２７，２８，２９，３０の片側に偏らせて配置されている。
【００２２】
このコンタクト挿入溝３４の両側縁には、スリット状のコンタクト取付溝３５，３５が形成されている。
【００２３】
また、各周壁２７，２８，２９，３０の一端側に偏らせてコンタクト挿入溝３４群が設けられているが、その他端側には、電子部品収容部２３に挿入された電子部品２２を固定するための電子部品固定金具３６が挿入される切欠部３７が形成されており、その切欠部３７は、周壁を電子部品固定金具３６の幅だけ切り取ったようになっている。
【００２４】
また、切欠部３７の下端外側部に電子部品固定金具３６が取り付けられる金具取付部３８が形成されている。
【００２５】
電子部品固定金具３６は、図４に示すように、先端に鉤状の固定突起３９を有する弾性固定片４０と、金具取付部３８に固定される取付片４１とを備え、ステンレス鋼からなる板状材を折曲加工することにより一体に形成されている。
【００２６】
固定突起３９は、底辺を下側とした直角三角形状に形成され、弾性固定片４０の先端部側縁より直角に折り曲げることにより電子部品収容部２３側に突出し、底辺部によって電子部品２２の上縁部を係止するようになっている。
【００２７】
弾性固定片４０は、取付片４１との境界部を基端として弾性変形するようになっており、電子部品２２を電子部品収容部２３内に挿入する際、電子部品２２が固定突起３９の斜辺部を押圧し、弾性固定片４０を外側に撓ませながら挿入され、挿入された後は、弾性により弾性固定片４０が元の位置に復元し、固定突起３９が電子部品２２の上縁部に係止されるようになっている。
【００２８】
取付片４１は、弾性固定片４０とは反対側の端部４１ａが逆Ｕ字状に折り曲げられ、その折り曲げられた部分４１ａが金具取付部３８に形成された上面に開口したスリット状の係止孔４２に圧入されることによって、電子部品固定金具３６が金具取付部３８、即ちソケットハウジング２４に取り付けられるようになっている。
【００２９】
尚、周壁２７，２８，２９，３０の下端部には、コンタクト２５，２５の端子部が露出するための露出凹部４３が形成され、コンタクト２５，２５の端子部がソケットハウジング２４の底面と略同一面上に露出するようになっている。
【００３０】
シールド板３３は、図５に示すように、平板状に形成され、上縁部には、周壁の上縁を覆う上縁カバー４４と、下向きコ字状に形成された取り付け爪４５，４５とを一体に備え、下縁部には、プリント配線基板２１に形成された固定パターン２１ｂ，２１ｂにはんだ付け等により固定される固定片４６，４６とを一体に備えている。
【００３１】
また、シールド板３３は、その一方の側縁に内側に直角に折り曲げた係止突片４７を備え、他方の側縁にクランク状に形成したクランク片４８を備えており、隣り合う一方のシールド板の係止片４７と他方のシールド板のクランク片４８とが相互に係合し、角部においてもソケットハウジング２４の外周を好適に覆うようになっている。
【００３２】
尚、底版が正方形であるので、各周壁の幅も等しく、シールド板も同一形状でよい。
【００３３】
コンタクト２５は、図６に示すように、平板状の取付部４９と、取付部４９の一方の端部より折り曲げられた端子片部５０と、取付部４９の端子片部５０とは反対側の端部より折り曲げられ、取付部４９と逆Ｕ字を形成する中間ばね部５１と、中間ばね部５１の取り付部４９とは反対側の端部より斜め方向に折り曲げられ、中間ばね部５１を介して弾性変形する弾性接触片５２とを備え、銅合金等の導電板材を打ち抜き、折曲加工することにより一体に形成されている。
【００３４】
取付部４９は、コンタクト挿入溝３４の幅より幅広に形成され、その側縁部をコンタクト挿入溝３４の側部に形成されたコンタクト取付溝３５，３５に圧入して嵌め込むことによって、ソケットハウジング２４に対し、コンタクト２５が取り付けられるようになっている。
【００３５】
中間ばね部５１は、取付部４９との境界部分を基端として弾性変形するようになっている。
【００３６】
弾性接触片５２は、細長板状に形成され、その先端部が円弧状に形成され、その円弧部の頂部に接触部５２ａを備えている。
【００３７】
そして、その接触部５２ａは、電子部品２２を電子部品収容部２３内に収容した際に、電子部品２２の下面に押し込まれ、電子部品２２の端子部と弾性的に接触するようになっている。
【００３８】
このコンタクト２５の取付部４９をコンタクト挿入溝３４に挿入し、コンタクト２５をソケットハウジング２４に取り付けると、弾性接触片５２は、貫通孔３１を通して、底版上面側、即ち電子部品収容部２３内に突出するようになっている。また、電子部品収容部２３内に電子部品２２が収容された際に、弾性接触片５２が下方に押し込まれても貫通孔３１に逃げ、底版２６と接触しないようになっている。
【００３９】
ソケットハウジング２４に取り付けられた各コンタクト２５，２５…は、弾性接触片５２が互いに平行に、且つ底版２６の一辺側からこれと対向する他辺側に向けられて配置された、コンタクト群５５，５５…を形成する。
【００４０】
各コンタクト群５５，５５…は、各辺と直交する方向に向け、即ち底版２６の四辺の各辺よりそれぞれ対向する辺側に向けて備えられ、且つ四辺の互いに隣り合う辺におけるコンタクト群５５，５５において、一方のコンタクト群の弾性接触片５２側部に他方のコンタクト群の弾性接触片５２，５２…の一部の先端部が向く配置になっており、弾性接触片５２，５２の残る一部の先端部、即ち隣り合うコンタクト群の弾性接触片５２の側部と被らない部分で搬送用吸引部３２を囲むようになっている。
【００４１】
また、底版２６の四辺の互いに隣り合う辺におけるコンタクト群５５，５５は、一方のコンタクト群を他方のコンタクト群の弾性接触片５２の少なくとも略長手方向長さ分だけ、他方のコンタクト群とは反対側の方向に偏らせて配置し、他方のコンタクト群の先端部を、その偏らせてできたスペースを詰めて、一方のコンタクト群の側部に近接させている。
【００４２】
従って、コンタクト群を偏らせて配置したことによってできたスペースに隣り合うコンタクト群を配置することによって、底版２６の余分なスペースを省くことができ、電子部品取付用ソケット全体の形状を小型化できるようになっている。
【００４３】
一方、この電子部品取付用ソケットが取り付けられるプリント配線基板２１には、図７に示すように、コンタクト２５の端子片部５０の配置に合わせて端子パターン２１ａ，２１ａ…がプリントされている。即ち、端子パターン２１ａ，２１ａ…を平行に並べたパターン群が四角形の四辺に沿って偏らせて配置されている。
【００４４】
また、パターン群の両側部には、シールド板３０の固定片４６がはんだ付け等によって固定される固定パターン２１ｂ，２１ｂがプリントによって形成されている。
【００４５】
尚、上述の実施例では、ソケットハウジングの底版を正方形に形成した例について説明したが、底版は長方形でもよい。
【００４６】
また、上述の実施例では、四辺の互いに隣り合う各辺におけるコンタクト群５５，５５において、一方のコンタクト群の弾性接触片５２側部に他方のコンタクト群の弾性接触片５２，５２…の一部の先端部が向く配置にした例について説明したが、一方のコンタクト群の弾性接触片５２の側部に、他方のコンタクト群の弾性接触片の全部の先端部が向くように配置してもよい。この際、各コンタクト群間のスペースが最も小さくなる。
【図面の簡単な説明】
【００４７】
【図１】本発明に係る電子部品取付用ソケットの使用状態を示す断面図である。
【図２】（ａ）は図１中の電子部品取付用ソケットを示す平面図、（ｂ）は同側面図、（ｃ）は同底面図である。
【図３】（ａ）は同上のソケットハウジングを示す平面図、（ｂ）は同側面図、（ｃ）は同底面図である。
【図４】（ａ）は同上の電子部品固定金具を示す正面図、（ｂ）は同平面図、（ｃ）は同側面図である。
【図５】（ａ）は同上のシールド板を示す正面図、（ｂ）は同平面図である。
【図６】（ａ）は同上のコンタクトを示す正面図、（ｂ）は同平面図、（ｃ）は同側面図である。
【図７】同上のプリント配線基板を示す平面図である。
【図８】従来の電子部品取付用ソケットの一例を示す平面図である。
【図９】同上の従来の電子部品取付用ソケットの他の実施例を示す平面図である。
【符号の説明】
【００４８】
２０ 電子部品取付用ソケット
２１ プリント配線基板
２２ 電子部品
２３ 電子部品収容部
２４ ソケットハウジング
２５ コンタクト
２６ 底版
２７，２８，２９，３０ 周壁
３１ 貫通孔
３２ 搬送用吸引部
３３ シールド板
３４ コンタクト挿入溝
３５ コンタクト取付溝
３６ 電子部品固定金具
３７ 切欠部
３８ 金具取付部
３９ 固定突起
４０ 弾性固定片
４１ 取付片
４２ 係止孔
４３ 露出凹部
４４ 上縁カバー
４５ 取付爪
４６ 固定片
４７ 係止突片
４８ クランク片
４９ 取付部
５０ 端子片部
５１ 中間ばね部
５２ 弾性接触片
５５ コンタクト群
【図１】
2007066921.tif 000003
【図２】
2007066921.tif 000004
【図３】
2007066921.tif 000005
【図４】
2007066921.tif 000006
【図５】
2007066921.tif 000007
【図６】
2007066921.tif 000008
【図７】
2007066921.tif 000009
【図８】
2007066921.tif 000010
【図９】
2007066921.tif 000011